(57)【要約】【課題】特に架空光配線において、屋外での作業を減らしながら、一定しない電柱間距離に配線される光ファイバの加入者までの引落しを効率的に行うことを可能とし、工場における安価な大量生産を可能とする。【解決手段】光ファイバケーブルに光ファイバケーブル方向に所定の間隔を置いて多数配設された分岐部と、各分岐部から分岐されて所定の長さを有して形成され、光ファイバケーブルに沿って配線され、端部に光コネクタを備えた分岐部側ケーブルと、分岐部に対応して設けられて光ファイバケーブルの任意の位置に支持されて前記分岐部との間の距離が異なるようにしてそれぞれ配置され、かつ該異なる距離に対応した長さをそれぞれ有するように形成された、端部に光コネクタを備えた接続ケーブルを有する配線ボックスと、を備える。【選択図】図１
2008129170.tif 000002
【特許請求の範囲】
【請求項１】
複数本の光ファイバ心線で構成された光ファイバケーブルと、該光ファイバケーブルに設けた分岐部と、配線ボックスと、前記分岐部と前記配線ボックスを接続する分岐ケーブルと、前記配線ボックスからユーザの光コネクタに接続される複数のドロップケーブルとからＦＴＴＨ（Fiber To The Home）システムを構成する光ファイバケーブルシステムにおいて、
前記分岐部は、前記光ファイバケーブルに、光ファイバケーブル方向に所定の間隔を置いて多数配設され、
前記配線ボックスは、前記分岐部に対応して設けられて前記光ファイバケーブルに該光ファイバケーブルを固定保持する電柱の近傍にて支持され、
前記分岐部と前記配線ボックスを接続する各分岐ケーブルは、前記分岐部と配線ボックスとの間の距離に対応した長さにそれぞれ調整された長さを有して光コネクタによって接続され、前記光ファイバケーブルに沿って配線されたことを特徴とする光ファイバケーブルシステム。
【請求項２】
請求項１において、各分岐ケーブルは、それぞれ長さが異なる複数の分岐ケーブルから選択されたものであることを特徴とする光ファイバケーブルシステム。
【請求項３】
請求項１または２において、前記分岐ケーブルは単心分岐ケーブルとして形成され、前記配線ボックスで複数のドロップケーブルに分岐されることを特徴とする光ファイバケーブルシステム。
【請求項４】
請求項１または２において、前記分岐ケーブルは複心分岐ファイバケーブルとして形成され、前記配線ボックスで各ドロップケーブルは各分岐ケーブルに接続されることを特徴とする光ファイバケーブルシステム。
【請求項５】
複数本の光ファイバ心線で構成された光ファイバケーブルと、該光ファイバケーブルに設けた分岐部と、該分岐部を介して分岐した分岐ケーブルと、該分岐ケーブルが接続された配線ボックスと、該配線ボックスからユーザの光コネクタに接続される複数のドロップケーブルとからＦＴＴＨシステムを構成する光ファイバケーブルシステムに使用される光ファイバケーブルであって、
該光ファイバケーブルは、該光ファイバケーブルに光ファイバケーブル方向に所定の間隔を置いて多数配設された分岐部と、各分岐部から分岐されて所定の長さを有して形成され、前記光ファイバケーブルに沿って配線されるもので、端部に光コネクタを備えた分岐部側ケーブルと、前記分岐部に対応して設けられて前記光ファイバケーブルの任意の位置に支持されて前記分岐部との間の距離が異なるようにしてそれぞれ配置され、かつ該異なる距離に対応した長さをそれぞれ有するように形成された、端部に光コネクタを備えた接続ケーブルを有する配線ボックスと、を備えることを特徴とする光ファイバケーブル。
【請求項６】
請求項５において、接続ケーブルは、それぞれ長さが異なる複数の接続ケーブルから選択されたものであることを特徴とする光ファイバケーブル。
【請求項７】
複数本の光ファイバ心線で構成された光ファイバケーブルと、該光ファイバケーブルに設けた分岐部と、該分岐部を介して分岐した分岐ケーブルと、該分岐ケーブルが接続された配線ボックスと、該配線ボックスからユーザの光コネクタに接続される複数のドロップケーブルとからＦＴＴＨシステムを構成する光ファイバケーブルシステムに使用する光ファイバケーブルの敷設方法において、
前記光ファイバケーブルに光ファイバケーブル方向に所定の間隔を置いて多数配線された分岐部と、各分岐部から分岐されて所定の長さを有して形成され、端部に光コネクタを備えた分岐部側ケーブルと、前記分岐部に対応して設けられて前記光ファイバケーブルの任意の位置に支持され、端部に光コネクタを備えた接続ケーブルを有する配線ボックスを備えた光ファイバケーブルを敷設し、
前記光ファイバケーブルを固定保持する電柱の近傍に位置して前記配線ボックスを前記光ファイバケーブルに支持し、前記接続ケーブルの長さを調整して前記分岐部側ケーブルと前記接続ケーブルとの長さが、前記分岐部と前記配線ボックス間の距離に対応するように調整し、
固定長さの前記分岐部側ケーブルと長さの調整された前記接続ケーブルとを前記光ファイバケーブルに沿って配線し、前記分岐部側ケーブルと前記接続ケーブルのそれぞれの端部に設けた光コネクタを接続し、
前記配線ボックスとユーザの光コネクタとを接続したこと
を特徴とする光ファイバケーブルの敷設方法。
【請求項８】
請求項７において、前記接続ケーブルは、それぞれ長さの異なる複数の接続ケーブルから選択されて配線されることを特徴とする光ファイバケーブルの敷設方法。
【発明の詳細な説明】
【技術分野】
【０００１】
本発明は、光ファイバケーブル、これを使用した光ファイバケーブルシステムおよび光ファイバケーブル敷設方法に関する。
【背景技術】
【０００２】
特許文献１には、複数本の光ファイバコードからなるサブケーブルおよび複数本のこのサブケーブルからなるサブグループ化光ファイバケーブルと、建物の複数階の間に前記サブグループ化光ファイバケーブルをわたすケーブルスペースと、敷設が必要とされる階で切断された前記サブケーブルを各階に分岐する成端処理部とからなる光ファイバケーブル敷設構造が記載されている。
【０００３】
また、この特許文献には、前記成端処理部は、前記サブケーブルの切断部を覆う、前記ケーブルスペースに収納される容器と、フェルールに仕込まれた一端面研磨済み光ファイバ素線の他端に、切断部の前記サブケーブルから引き出された前記光ファイバコードの光ファイバ素線の端部が融着接続される光コネクタと、この光コネクタが差し込まれる、前記容器に取り付けられたアダプタとから構成されることが記載されている。
【０００４】
特許文献２には、配電線を利用して電力線搬送通信を行う第一家屋と、前記配電線と引き込み線とを介して前記第一家屋と接続されると共に、光ファイバケーブルが引き込まれた第二家屋と、前記引き込み線及び光ファイバケーブルの双方に接続される電力線搬送通信装置と具え、光ファイバケーブルからの光信号を電気信号に変換する変換器と、変換された電気信号を第一家屋と第二家屋とに分配する分配器とを具えることを特徴とする通信システムが記載されている。
【０００５】
特許文献３には、テンションメンバの上に複数本の光ファイバコードが撚り合わされ、この上に押え巻きひもが巻回されてなる光ファイバケーブルから、分岐用の光ファイバコードを引き出し、この引き出し部にチューブ状の保護部材をかぶせ、この保護部材から前記引き出し部の先端を露出させて分岐用の光ファイバコードの接続を行うことを特徴とする光ファイバケーブルの分岐方法が記載されている。
【０００６】
【特許文献１】特開２０００−２５８６７２号公報
【特許文献２】特開２００３−３１８７８６号公報
【特許文献３】特開平１１−１９４２５０号公報
【発明の開示】
【発明が解決しようとする課題】
【０００７】
電話サービスに加えて、ＣＡＴＶ（Cable TV）、ＶＯＤ（Video on Demand）及び映像サービス（各種情報サービス）を高速かつ広帯域に提供するには、アクセス系の全光化、すなわちＦＴＴＨ（Fiber To The Home）が必要とされる。このＦＴＴＨを実現するには、架空光配線ケーブルから加入者までの光ファイバの引落しを経済的かつ効率的に行うことが求められる。
【０００８】
本発明は、特に架空光配線において、屋外での作業を減らしながら、一定しない電柱間距離に配線される光ファイバの加入者までの引落しを効率的に行うことを可能とし、工場における安価な大量生産を可能とする光ファイバケーブルの構造およびこれを用いた光ファイバケーブルシステム、更に光ファイバケーブルの敷設方法を提供することを目的とする。
【課題を解決するための手段】
【０００９】
本発明は、複数本の光ファイバ心線で構成された光ファイバケーブルと、該光ファイバケーブルに設けた分岐部と、配線ボックスと、前記分岐部と前記配線ボックスを接続する分岐ケーブルと、前記配線ボックスからユーザの光コネクタに接続される複数のドロップケーブルとからＦＴＴＨシステムを構成する光ファイバケーブルシステムにおいて、
前記分岐部は、前記光ファイバケーブルに、光ファイバケーブル方向に所定の間隔を置いて多数配設され、
前記配線ボックスは、前記分岐部に対応して設けられて前記光ファイバケーブルに該光ファイバケーブルを固定保持する電柱の近傍にて支持され、
前記分岐部と前記配線ボックスを接続する各分岐ケーブルは、前記分岐部と前記配線ボックスとの間の距離に対応した長さにそれぞれ調整された長さを有して光コネクタによって接続され、前記光ファイバケーブルに沿って配線されたことを特徴とする光ファイバケーブルシステムを提供する。
【００１０】
上述の光ファイバケーブルシステムは、それぞれ長さが異なる複数の分岐ケーブルから選択されたものであることを特徴とする。
上述の光ファイバケーブルシステムは、前記分岐ケーブルは単心分岐ケーブルとして形成され、前記配線ボックスで複数のドロップケーブルに分岐されることを特徴とする。
上述の光ファイバケーブルシステムは、前記分岐ケーブルは複心分岐ファイバケーブルとして形成され、前記配線ボックスで各ドロップケーブルは各分岐ケーブルに接続されることを特徴とする。
【００１１】
本発明は、また、複数本の光ファイバ心線で構成された光ファイバケーブルと、該光ファイバケーブルに設けた分岐部と、該分岐部を介して分岐した分岐ケーブルと、該分岐ケーブルが接続された配線ボックスと、該配線ボックスからユーザの光コネクタに接続される複数のドロップケーブルとからＦＴＴＨシステムを構成する光ファイバケーブルシステムに使用される光ファイバケーブルであって、
該光ファイバケーブルは、該光ファイバケーブルに光ファイバケーブル方向に所定の間隔を置いて多数配設された分岐部と、各分岐部から分岐されて所定の長さを有して形成され、前記光ファイバケーブルに沿って配線され、端部に光コネクタを備えた分岐部側ケーブルと、前記分岐部に対応して設けられて前記光ファイバケーブルの任意の位置に支持されて前記分岐部との間の距離が異なるようにしてそれぞれ配置され、かつ該異なる距離に対応した長さをそれぞれ有するように形成された、端部に光コネクタを備えた接続ケーブルを有する配線ボックスと、を備えることを特徴とする光ファイバケーブルを提供する。
【００１２】
上述の光ファイバケーブルは、それぞれ長さが異なる複数の接続ケーブルから選択されたものであることを特徴とする。
【００１３】
本発明は、また、複数本の光ファイバ心線で構成された光ファイバケーブルと、該光ファイバケーブルに設けた分岐部と、該分岐部を介して分岐した分岐ケーブルと、該分岐ケーブルが接続された配線ボックスと、該配線ボックスからユーザの光コネクタに接続される複数のドロップケーブルとからＦＴＴＨシステムを構成する光ファイバケーブルシステムに使用する光ファイバケーブルの敷設方法において、
前記光ファイバケーブルに光ファイバケーブル方向に所定の間隔を置いて多数配線された分岐部と、各分岐部から分岐されて所定の長さを有して形成され、端部に光コネクタを備えた分岐部側ケーブルと、前記分岐部に対応して設けられて前記光ファイバケーブルの任意の位置に支持され、端部に光コネクタを備えた接続ケーブルを有する配線ボックスを備えた光ファイバケーブルを敷設し、
前記光ファイバケーブルを固定保持する電柱の近傍に位置して前記配線ボックスを前記光ファイバケーブルに支持し、前記接続ケーブルの長さを調整して前記分岐部側ケーブルと前記接続ケーブルとの長さが、前記分岐部と前記配線ボックス間の距離に対応するように調整し、
固定長さの前記分岐部側ケーブルと長さの調整された前記接続ケーブルとを前記光ファイバケーブルに沿って配線し、前記分岐部側ケーブルと前記接続ケーブルのそれぞれの端部に設けた光コネクタを接続し、
前記配線ボックスとユーザの光コネクタとを接続したこと
を特徴とする光ファイバケーブルの敷設方法を提供する。
【００１４】
上述の光ファイバケーブルの敷設方法は、それぞれ長さの異なる複数の接続ケーブルから選択されて配線されることを特徴とする。
【発明の効果】
【００１５】
本発明によれば、分岐部が光ファイバケーブルに予め工場にて所定の間隔を置いて多数個取り付けられ、固定長の光コネクタ付分岐ケーブルが形成され、調整長の接続ケーブルが形成されるようにしており、従って、従来のように光ファイバケーブルから分岐用の光ファイバコードを引き出す作業を要せず、かつ光ファイバケーブルに可撓的に一体化保持の分岐構成としているために工場において予め製造、更には運搬に便利な構造の分岐部コネクタ付ケーブルとすることができ、更に配線ボックスの一体化保持構造によって電柱間距離配線における引落しを容易にするメリットがある。
【００１６】
本発明によれば、特に架空光配線において、屋外での作業を減らしながら、一定しない電柱間距離に配線される光ファイバの加入者までの引落しを効率的に行うことを可能にし、工場における安価な大量生産を可能とする光ファイバケーブル、これを用いた光ファイバケーブルおよび簡便な光ファイバケーブルの敷設方法を提供することができる。
【発明を実施するための最良の形態】
【００１７】
以下、本発明の実施例を図面に基づいて説明する。
【実施例１】
【００１８】
図１は、本発明の実施例である光ファイバケーブルおよび光ファイバケーブルシステム１００を示す図である。図１において、１は光ファイバケーブル、すなわち複数本の光ファイバ心線で構成された光ファイバケーブル、２はこの光ファイバケーブルに、光ファイバケーブル方向に設けられる分岐部で多数個設けられる。３は分岐部２に接続される配線ボックス、例えば８分岐部スプリッタ入りのスプリットボックスであり、図では５つの分岐部２に対応して接続されている。従って、いくつかの分岐部２はいずれの配線ボックスには未接続で、いわば防水状態下で遊び状態とされている。これは一部に、任意の距離を含んだ所定の距離で分岐部２が配設され、敷設時においてその内のいくつかについては使用とされることを意味する。また、配線ボックス３は、光ファイバケーブル１に配線支持、例えば固定されて、ドロップケーブル７に対する接続函として機能する。
【００１９】
４は多数の電柱を示す。電柱間は地域によって、場所によっては一定であり、他の地域、場所によっては一定しないで周知の通り電線を固定保持している。４の内、４Ａは光ファイバケーブル１の立上り点における光ファイバケーブル１を立上げるための電柱である。スプリットボックス３Ａは、この電柱４Ａ上に設けられる。
【００２０】
５は、各種情報サービスを発信する建屋であり、各種情報サービスは建屋５内の光ファイバケーブル１Ａを介し、更に地下光ファイバケーブル１Ｂ（ＷＢＢ）を介してスプリットボックス３Ａに接続される。
【００２１】
６は、加入者の住居（以下、加入者という）であり、各加入者の接続端（光コネクタ部）はドロップケーブル７を介して配線ボックス３に接続される。
【００２２】
配線ボックス３は、分岐部２に対応して配置され、光コードケーブルあるいはカールコードで接続される。
【００２３】
８は、電柱４と分岐部２との間の距離に対応した長さ、すなわち配線ボックス３と分岐部との間の距離に対応した長さにそれぞれ調整された長さを有して、光ファイバケーブル１に沿って配線された分岐ケーブルであり、後述するように分岐部側ケーブル、接続ケーブルから構成され、両ケーブルは光コネクタ１０によって接続される。
【００２４】
図２は、図１の構成を配線図として示す。
図２において、光ファイバケーブル１は、例えば２４心ケーブルとして構成してあり、複数の分岐部２を備えている。各分岐部２で各光ファイバ心線は分岐される。そして、この分岐部２は分岐部側ケーブル１１を備え、分岐部側ケーブル１１の端部に単純作業で接続可能な一方のコネクタ部を備え、接続ケーブル１２の端部に設けた他方のコネクタ部と共にコネクタ部１０を形成する。ここでは分岐部側ケーブル１１と接続ケーブル１２を合わせて分岐ケーブル１０と称する。
【００２５】
上述の例において、光ファイバケーブル１は、長手方向に延びる光ファイバケーブルには可撓的に一体化保持された分岐部２が光ファイバケーブル１に予め工場にて所定の間隔を置いて多数個取り付けられて形成される。そして、光ファイバケーブル１が敷設されて任意の分岐部２に分岐部側ケーブル１１、コネクタ部１０および接線ケーブル１２を介してスプリッタを内蔵した配線ボックス３、例えばクロージャボックスが接続可能とされる。
【００２６】
図３は、図１の一部詳細を示す図である。図１において、光ファイバケーブル１は、２４心単心光ファイバケーブル（２４心単心光ファイバＳＳケーブル）２１および支持線２２から形成されており、両者を合わせてここでは光ファイバケーブルと呼び、２４心単心光ファイバケーブル２１を複心光ファイバケーブルと呼ぶ。光ファイバケーブル１は電柱４に固定保持される。なお、ここでは他の目的で使用される電柱状の柱も電柱として統一して呼ぶ。光ファイバケーブル１には所定の間隔で被覆材が合成樹脂で形成された可撓性の分岐部２が設けられる。この分岐部２の一方の端部からは分岐部側ケーブル１１が導出される。この例の場合、分岐部側ケーブル１１は、単心分岐ケーブルとして形成され、１．５ｍの長さを備え、光ファイバケーブル１に沿って配線され、端部は光コネクタ部を備える。上述の長さの１．５ｍは工場で生産された時のものであり固定長さであることを示す。なお、分岐部２の導出部に光コネクタを設けて分岐部側ケーブル１１の長さを実施的に零にしてもよい。光コネクタを２個以上使用した場合、ここではこれらのケーブルを接続ケーブル１２と呼ぶ。
【００２７】
電柱４の近傍には配線ボックス３（本例の場合スプリットボックス）が配置され、光ファイバケーブル１、すなわち支持線２２に支持される。電柱４と配線ボックス３の対向面との間隔は、例えば７０ｃｍに設定されるが、これに限定されず、電柱４の近傍支持することのできる距離であればよい。
【００２８】
配線ボックス３は、分岐部２に対向する側に接続ケーブル１２を備える。この接続ケーブル１２は単心接続ケーブルとされ、長さが調整される。調整方法としては２つある。その１つは敷設した作業時に分岐部２と配線ボックス３との間の距離、分岐部側ケーブル１１の長さを考慮して接続ケーブル１２は任意の長さに調整するものである。この場合に、固定長の分岐部側ケーブルの長さを考慮に入れて、分岐部２と配線ボックス３との間の距離に対応してと、称する。他の方法は、作業上の使い勝手をよくするために、例えば１，３，５および１０ｍの長さの複数の長さを予め準備しておいて、使用時に適宜選択する方法である。従って、分岐部２と配線ボックス３との間の距離に対応してとは、両者間の距離を差に応じていくつかに分けて、分岐ケーブル８の長さを調整することを含む概念となる。接続ケーブル１２は端部に光コネクタ部を備えており、分岐部側ケーブル１１の光コネクタ部と接続されて光コネクタ１０を構成する。従って、分岐部側ケーブル１１、接続ケーブル１２および光コネクタ１０によって分岐ケーブル８が形成されることになる。
【００２９】
このように、光ファイバケーブル１を固定する電柱４の近傍に位置して配線ボックス３を光ファイバケーブル１に支持し、接続ケーブル１２の長さを調整して固定長さの分岐部側ケーブル１１と接続ケーブル１２との長さが、分岐部２と配線ボックス３間の距離に対応するように調整する。前述のように分岐部側ケーブルの長さを零にすることができるが、固定長としておくことによって作業性がよくなる。なお、いずれの光コネクタも防水コネクタとして構成される。
【００３０】
配線ボックス３は、スプリットボックスとして構成され、単心接続ケーブルは８つの導出部２３に分けられる。導出部２３にはそれぞれ光コネクタ２４が設けられ、ドロップケーブル７が接続され、ドロップケーブル７はユーザである加入者の住居に設けた屋外キャビネット２６の光コネクタ２５に接続され、宅内コード２７を介して室内へと導かれる。
【００３１】
分岐ケーブル８は、図に示すように、単心分岐部側ケーブルと単心接続ケーブルおよびそれぞれの端部に設けた光コネクタから構成され、その構造は被覆体に抗張力体および０．５ｍｍ光ファイバ心線を配したものとなる。この構造自体はよく知られている。
【００３２】
ドロップケーブル７は、図に示すように、ドロップケーブルと両端に設けた光コネクタからなり、分岐ケーブル８と同様の構造のものが鋼線によって補強された構造のものとされる。この構造自体はよく知られている。
【実施例２】
【００３３】
図４は、本発明の第二の実施例を示す。先の実施例と同日の構成については同一の番号を付し、先の実施例の説明を援用する。この例にあってはスプリッタは上流側に配置される。
【００３４】
この例で使用される光ファイバケーブル１は、例えばＳＳＷ，ＡＮＳケーブルであり、分岐ケーブル８は８心分岐ケーブル１１Ａとされる。従って、分岐部側ケーブルは８心分岐部側１１Ａ、接続側ケーブルは８心接続ケ−ブル１２Ａ、光コネクタは８心タイプコネクタ８Ａとして構成される。そして、配線ボックス３は、ファンナウトボックスとして構成され、それぞれの８心接続ケーブルは分岐されることなく、導出部２３を介して光コネクタ２４に接続される。配線ボックス３は電柱４に対してこの例の場合、２０ｃｍ離して配置してある。
【００３５】
分岐ケーブル８Ａは、図に示すように、８心分岐部側ケーブルと８心接続ケーブルおよびそれぞれの端部に設けた８心タイプコネクタから構成され、その構造は被覆体に抗張力体および４心テープ×２枚の光ファイバ心線を配したものとなる。この構造自体はよく知られている。配線ボックス３は８心分岐ケーブル１１Ａを分配する機能を有することになる。ドロップケーブル７は、図に示すように、ドロップケーブルと両端に設けた光コネクタからなり、分岐ケーブル８と構造のものが鋼線によって補強された構造のものとされる。この構造自体はよく知られている。
【００３６】
以上のように、分岐部２は、光ファイバケーブル１に光ファイバケーブル方向に所定の間隔を置いて多数配設され、配線ボックス３は、分岐部２に対応して設けられて光ファイバケーブル１に光ファイバケーブル１を固定保持する電柱４の近傍にて支持され、分岐部２と配線ボックス３を接続する各分岐ケーブルは、電柱４と分岐部２との間の距離に対応した長さに、対応する配線ボックス３と分岐部２との間の距離に対応した長さにそれぞれ調整された長さを有して光コネクタ８によって接続され、光ファイバケーブル１に沿って配線されて光ファイバケーブルシステム１００が構成される。
【００３７】
前述したように、対応した長さには予め定めた複数の長さから選択された１つの長さを含む。
【００３８】
また、光ファイバケーブル１は、光ファイバケーブル１に光ファイバケーブル方向に所定の間隔を置いて多数配設された分岐部２と、各分岐部から分岐されて所定の長さを有して形成され、光ファイバケーブル１に沿って配線され、端部に光コネクタ１０を備えた分岐部側ケーブル１１と分岐部２に対応して設けられて光ファイバケーブル１の任意の位置に支持されて分岐部２との間の距離が異なるようにしてそれぞれ配置され、かつ該異なる距離に対応した長さをそれぞれ有するように形成された、端部に光コネクタ１０を備えた接続ケーブル１２を有する配線ボックス３と、を備えた光ファイバケーブルが構成される。そして、接続ケーブル１２は、それぞれ長さが異なる複数の接続ケーブルから選択され得る。
【００３９】
光ファイバケーブルの敷設方法は図５に示すように次のようなステップで構成され得る。
光ファイバケーブル１に光ファイバケーブル方向に所定の間隔を置いて多数配線された分岐部２と、各分岐部から分岐されて所定の長さを有して形成され、端部に光コネクタ１を備えた分岐部側ケーブル１１と、分岐部２に対応して設けられて光ファイバケーブル１の任意の位置に支持され、端部に光コネクタ１０を備えた接続ケーブル１２を有する配線ボックス３を備えた光ファイバケーブル１を敷設し、光ファイバケーブル１を固定保持する電柱４の近傍に位置して配線ボックス３を光ファイバケーブル１に支持し、接続ケーブル１２の長さを調整して分岐部側ケーブル１１と接続ケーブル１２との長さが、分岐部２と配線ボックス３間の距離に対応するように調整し、固定長さの分岐部側ケーブル１１と長さの調整された接続ケーブル１２とを光ファイバケーブルに沿って配線し、分岐部側ケーブル１１と接続ケーブル１２のそれぞれの端部に設けた光コネクタ１０を接続し、配線ボックス３とユーザの光コネクタ１０とを接続する。
【図面の簡単な説明】
【００４０】
【図１】本発明の実施例の構成図。
【図２】図１に示す構成をブロックで示す図。
【図３】図１の一部詳細図。
【図４】本発明の第二の実施例で図１の一部詳細図。
【図５】敷設方法を示す図。
【符号の説明】
【００４１】
１…光ファイバケーブル、２…分岐部、３…配線ボックス、４…電柱、６…加入者、７…ドロップケーブル、８，８Ａ…分岐ケーブル、１０…光コネクタ、１１，１１Ａ…分岐部側ケーブル、１２，１２Ｂ…接続ケーブル、１００…光ファイバケーブルシステム。
【図１】
2008129170.tif 000003
【図２】
2008129170.tif 000004
【図３】
2008129170.tif 000005
【図４】
2008129170.tif 000006
【図５】
2008129170.tif 000007